(57)【要約】【課題】需要者の端末の表示画面に需要者の関心がある移動販売車の位置情報を表示させることができる情報処理装置等を提供する。【解決手段】位置検出機能を有し需要者が携帯する需要者端末２ａと、位置検出機能を有し移動販売車に搭載された販売車端末２ｂとが通信ネットワークを介して接続される情報処理装置であって、需要者端末２ａ及び販売車端末２ｂからそれぞれ送信される位置情報を受信する受信手段と、需要者端末２ａから登録されたカテゴリと販売車端末２ｂから登録されたカテゴリとの一致を検出する検出手段と、検出手段が一致を検出した場合、需要者端末２ａ及び前記販売車端末２ｂのうち少なくとも一方の端末の位置情報を他方の端末に送信して表示させる送信手段とを備える。【選択図】図１
2016062415.tif 000002
【特許請求の範囲】
【請求項１】
位置検出機能を有し需要者が携帯する需要者端末と、位置検出機能を有し移動販売車に搭載された販売車端末とが通信ネットワークを介して接続される情報処理装置であって、
前記需要者端末及び前記販売車端末からそれぞれ送信される位置情報を受信する受信手段と、
前記需要者端末から登録されたカテゴリと前記販売車端末から登録されたカテゴリとの一致を検出する検出手段と、
前記検出手段が一致を検出した場合、前記需要者端末及び前記販売車端末のうち少なくとも一方の端末の位置情報を他方の端末に送信して表示させる送信手段と、を備えることを特徴とする情報処理装置。
【請求項２】
前記検出手段は、前記受信手段により受信された位置情報に基づいて、所定の距離又はカテゴリに応じて予め設定された距離以内に、前記需要者端末と前記販売車端末とが存在する場合にカテゴリが一致するか否かを検出することを特徴とする請求項１に記載の情報処理装置。
【請求項３】
前記カテゴリは階層構造であって、
前記検出手段は、前記需要者端末及び前記販売車端末のうち一方の端末から登録されたカテゴリが、他方の端末から登録されたカテゴリと一致する場合、或いは当該カテゴリの上位又は下位のカテゴリに一致する場合に、カテゴリの一致として検出することを特徴とする請求項１又は２に記載の情報処理装置。
【請求項４】
前記カテゴリは階層構造であって、
前記検出手段は、前記需要者端末及び前記販売車端末のうち一方の端末から登録されたカテゴリが、他方の端末から登録されたカテゴリと一致する場合、或いは当該カテゴリの上位のカテゴリ又は当該カテゴリの上位のカテゴリに属する他の下位のカテゴリに一致する場合に、カテゴリの一致として検出することを特徴とする請求項１又は２に記載の情報処理装置。
【請求項５】
前記送信手段は、所定の優先度に基づき所定の数の前記移動販売車の位置情報を前記需要者端末に送信して表示させることを特徴とする請求項１から４の何れか一項に記載の情報処理装置。
【請求項６】
前記検出手段は、前記販売車端末から登録されたカテゴリと一致するカテゴリを登録した前記需要者端末の現在位置が所定数以上集中している領域を検出し、
前記送信手段は、検出された領域の情報を前記販売車端末に送信して表示させることを特徴とする請求項１から５の何れか一項に記載の情報処理装置。
【請求項７】
前記送信手段は、所定の優先度に基づき検出された領域の情報を所定の数の前記販売車端末に送信して表示させることを特徴とする請求項６に記載の情報処理装置。
【請求項８】
前記優先度は、カテゴリの一致度、移動販売車までの距離、前記販売車端末から入力された位置情報に対する単価、又は、前記販売車端末から入力された位置情報に基づく需要者との接触の単価のうち、少なくとも何れかひとつに基づくものであることを特徴とする
請求項５又は７に記載の情報処理装置。
【請求項９】
所定時間以上前記販売車端末の位置情報と、前記需要者端末の位置情報とが所定範囲内である場合に前記需要者との接触を判定する判定手段を備えることを特徴とする請求項８に記載の情報処理装置。
【請求項１０】
情報処理方法であって、
位置検出機能を有し需要者が携帯する需要者端末と、位置検出機能を有し移動販売車に搭載された販売車端末とからそれぞれ送信される位置情報を受信するステップと、
前記需要者端末から登録されたカテゴリと前記販売車端末から登録されたカテゴリとの一致を検出するステップと、
カテゴリの一致を検出した場合、前記需要者端末及び前記販売車端末のうち少なくとも一方の端末の位置情報を他方の端末に送信して表示させるステップと、
を含むことを特徴とする情報処理方法。
【請求項１１】
コンピュータを、
位置検出機能を有し需要者が携帯する需要者端末と、位置検出機能を有し移動販売車に搭載された販売車端末とからそれぞれ送信される位置情報を受信する受信手段と、
前記需要者端末から登録されたカテゴリと前記販売車端末から登録されたカテゴリとの一致を検出する検出手段と、
前記検出手段が一致を検出した場合、前記需要者端末及び前記販売車端末のうち前記端末の少なくとも一方の位置情報を他方の端末に送信して表示させる送信手段と、
として機能させるプログラム。
【発明の詳細な説明】
【技術分野】
【０００１】
本発明は、情報処理装置、情報処理方法及びプログラムに関する。
【背景技術】
【０００２】
従来、移動販売車を用いて食品等の商品の販売を行う移動販売業者は、当該移動販売車で所定の巡回経路等を移動しながら商品の販売を行っている。需要者が、このような移動販売業者を利用する場合には、移動販売業者のアナウンスや移動販売車から流れる音楽等を頼りに順次移動している移動販売車を探して商品を購買する必要性がある。
【０００３】
しかし、移動販売業者のアナウンスや移動販売車から流れる音楽等を頼りにする場合には、需要者が確実に移動販売車を探し出すことは難しい場合がある。
【０００４】
このため、移動販売車に搭載された位置検出手段であるＧＰＳ（Global Positioning System）機能端末の位置情報をサーバ装置に収集して、能動的に携帯端末やパーソナルコンピュータ等を用いて、当該移動販売車の位置情報を検索し閲覧することにより、確実に移動販売車の位置を探し出すことができる移動販売車検索システムが知られている（例えば、特許文献１参照）。
【先行技術文献】
【特許文献】
【０００５】
【特許文献１】特開２０１１−２２１９８４号公報
【発明の概要】
【発明が解決しようとする課題】
【０００６】
しかしながら、特許文献１の先行技術では、需要者が使用する携帯端末の地図画面やナビゲーション画面上に移動販売車の位置情報を受動的に表示させようとした場合には、需要者の関心がない移動販売車であっても位置情報が表示されてしまい、このような位置情報は需要者にとってはノイズとなり迷惑になってしまう。
【０００７】
本発明の目的は、需要者の端末の表示画面に需要者の関心がある移動販売車の位置情報を表示させることができる情報処理装置、情報処理方法及びプログラムを提供することにある。
【課題を解決するための手段】
【０００８】
前記課題を解決するために、請求項１に記載の発明は、
位置検出機能を有し需要者が携帯する需要者端末と、位置検出機能を有し移動販売車に搭載された販売車端末とが通信ネットワークを介して接続される情報処理装置であって、
前記需要者端末及び前記販売車端末からそれぞれ送信される位置情報を受信する受信手段と、
前記需要者端末から登録されたカテゴリと前記販売車端末から登録されたカテゴリとの一致を検出する検出手段と、
前記検出手段が一致を検出した場合、前記需要者端末及び前記販売車端末のうち少なくとも一方の端末の位置情報を他方の端末に送信して表示させる送信手段と、を備えることを特徴とする。
【０００９】
請求項２に記載の発明は、請求項１に記載の情報処理装置において、
前記検出手段は、前記受信手段により受信された位置情報に基づいて、所定の距離又はカテゴリに応じて予め設定された距離以内に、前記需要者端末と前記販売車端末とが存在する場合にカテゴリが一致するか否かを検出することを特徴とする。
【００１０】
請求項３に記載の発明は、請求項１又は２に記載の情報処理装置において、
前記カテゴリは階層構造であって、
前記検出手段は、前記需要者端末及び前記販売車端末のうち一方の端末から登録されたカテゴリが、他方の端末から登録されたカテゴリと一致する場合、或いは当該カテゴリの上位又は下位のカテゴリに一致する場合に、カテゴリの一致として検出することを特徴とする。
【００１１】
請求項４に記載の発明は、請求項１又は２に記載の情報処理装置において、
前記カテゴリは階層構造であって、
前記検出手段は、前記需要者端末及び前記販売車端末のうち一方の端末から登録されたカテゴリが、他方の端末から登録されたカテゴリと一致する場合、或いは当該カテゴリの上位のカテゴリ又は当該カテゴリの上位のカテゴリに属する他の下位のカテゴリに一致する場合に、カテゴリの一致として検出することを特徴とする。
【００１２】
請求項５に記載の発明は、請求項１から４の何れか一項に記載の情報処理装置において、
前記送信手段は、所定の優先度に基づき所定の数の前記移動販売車の位置情報を前記需要者端末に送信して表示させることを特徴とする。
【００１３】
請求項６に記載の発明は、請求項１から５の何れか一項に記載の情報処理装置において、
前記検出手段は、前記販売車端末から登録されたカテゴリと一致するカテゴリを登録した前記需要者端末の現在位置が所定数以上集中している領域を検出し、
前記送信手段は、検出された領域の情報を前記販売車端末に送信して表示させることを特徴とする。
【００１４】
請求項７に記載の発明は、請求項６に記載の情報処理装置において、
前記送信手段は、所定の優先度に基づき検出された領域の情報を所定の数の前記販売車端末に送信して表示させることを特徴とする。
【００１５】
請求項８に記載の発明は、請求項５又は７に記載の情報処理装置において、
前記優先度は、カテゴリの一致度、移動販売車までの距離、前記販売車端末から入力された位置情報に対する単価、又は、前記販売車端末から入力された位置情報に基づく需要者との接触の単価のうち、少なくとも何れかひとつに基づくものであることを特徴とする。
【００１６】
請求項９に記載の発明は、請求項８に記載の情報処理装置において、
所定時間以上前記販売車端末の位置情報と、前記需要者端末の位置情報とが所定範囲内である場合に前記需要者との接触を判定する判定手段を備えることを特徴とする。
【００１７】
請求項１０に記載の発明は、
情報処理方法であって、
位置検出機能を有し需要者が携帯する需要者端末と、位置検出機能を有し移動販売車に搭載された販売車端末とからそれぞれ送信される位置情報を受信するステップと、
前記需要者端末から登録されたカテゴリと前記販売車端末から登録されたカテゴリとの一致を検出するステップと、
カテゴリの一致を検出した場合、前記需要者端末及び前記販売車端末のうち少なくとも一方の端末の位置情報を他方の端末に送信して表示させるステップと、
を含むことを特徴とする。
【００１８】
請求項１１に記載の発明は、
コンピュータを、
位置検出機能を有し需要者が携帯する需要者端末と、位置検出機能を有し移動販売車に搭載された販売車端末とからそれぞれ送信される位置情報を受信する受信手段と、
前記需要者端末から登録されたカテゴリと前記販売車端末から登録されたカテゴリとの一致を検出する検出手段と、
前記検出手段が一致を検出した場合、前記需要者端末及び前記販売車端末のうち前記端末の少なくとも一方の位置情報を他方の端末に送信して表示させる送信手段と、
として機能させるプログラムである。
【発明の効果】
【００１９】
本発明によれば、需要者の端末の表示画面に需要者の関心がある移動販売車の位置情報を表示させることができる。
【図面の簡単な説明】
【００２０】
【図１】本実施の形態に係る情報処理システムの構成を示すブロック図である。
【図２】サーバ装置の動作の一例を示すフローチャートである。
【図３】商品のカテゴリの一例を示す説明図である。
【図４】端末の表示画面の一例を示す説明図である。
【図５】端末の表示画面の他の一例を示す説明図である。
【発明を実施するための形態】
【００２１】
［１．構成の説明］
以下、図面を参照しつつ、本発明の実施形態である情報処理システムを詳細に説明する。但し、発明の範囲は、図示例に限定されない。
【００２２】
（実施形態）
［１−１．システム構成の説明］
本発明の実施形態の情報処理システムの構成について図１を参照して説明する。図１は、情報処理システム１００の構成を示すブロック図である。
【００２３】
図１に示すように、情報処理システム１００は、情報処理装置としてのサーバ装置１、位置検出機能を有する複数の端末２を有する構成である。情報処理システム１００において、サーバ装置１と複数の端末２は通信ネットワークＮにより互いに通信可能に接続される。具体的には、通信ネットワークＮは、インターネットや電気通信事業者等の電話回線網や携帯電話通信網等である。
【００２４】
サーバ装置１は、端末２から送信される各端末２の位置情報をそれぞれ受信し、各端末２から予め登録されているカテゴリの一致に応じて一方の端末２の位置情報を他方の端末２に送信して表示させる。サーバ装置１は、ＰＣ、ＷＳ（Work Station）等の情報機器であってよい。
【００２５】
端末２は、位置検出機能を有するスマートフォン、タブレット、ＰＤＡ（Personal Digital Assistant）、携帯電話、ノート型ＰＣ等の需要者、或いは、移動販売業者が携帯して使用する情報端末機器（需要者端末２ａ、或いは、販売車端末２ｂ）や、移動販売車に搭載された位置検出機能を有するナビゲーション装置（販売車端末２ｂ）である。このような端末２は通信ネットワークＮ（具体的には、携帯端末の通信回線や無線ＬＡＮ（Local Area Network）等）を用いてサーバ装置１との間で相互に通信を行う。
【００２６】
［１−２．サーバ装置の構成の説明］
次に、サーバ装置１の詳細について説明する。
サーバ装置１は、制御部１１、操作部１２、表示部１３、記憶部１４、通信部１５を有する。
制御部１１は、サーバ装置１の動作を中央制御する。具体的には、制御部１１は、ＣＰＵ（Central Processing Unit）、ＲＯＭ（Read Only Memory）、ＲＡＭ（Random Access Memory）などを有しており、ＲＡＭの作業領域に展開されたＲＯＭや記憶部１４に記憶されたプログラムデータとＣＰＵとの協働により各部を統括制御する。
【００２７】
操作部１２は、ユーザからの操作入力を受け付け、当該操作に応じた操作信号を制御部１１へ出力する。例えば、操作部１２は、文字入力キー、数字入力キー、その他各種機能に対応付けられたキーを備えたキーボード、マウス等のポインティングデバイスなどであってよい。
【００２８】
表示部１３は、制御部１１から出力された表示制御信号に基づいた画像を表示画面に表示する。例えば、表示部１３は、ＣＲＴ（Cathode Ray Tube）やＬＣＤ（Liquid Crystal Display）などであってよい。
【００２９】
記憶部１４は、プログラムデータや各種設定データ等のデータを制御部１１から読み書き可能に記憶する。例えば、記憶部１４は、ＨＤＤ（Hard disk drive）、半導体メモリなどであってよい。
また、記憶部１４には、予め各端末２からアプリ（カーナビアプリなどのアプリケーションプログラム）または所定のウェブページなどを介して登録された商品のカテゴリが記憶されている。具体的には、需要者の端末２からは関心がある、或いは、購入を希望する商品のカテゴリが登録され記憶部１４に記憶され、また、移動販売業者の端末２からは販売している商品のカテゴリが、やはりアプリやウェブページを介し登録され記憶部１４に記憶される。販売している商品に関する情報は、例えば、移動販売で用いるＰＯＳシステムの保持する入荷や販売等の情報に基づいて更新される構成としてもよい。
また、販売車端末２ｂからは必要に応じて販売している商品の一覧表、価格表、或いは、商品の画像等の購入に際して需要者にとって役立つ情報が登録され記憶部１４に記憶される。
【００３０】
通信部１５は、制御部１１の制御の下、所定の通信プロトコルを用いて通信ネットワークＮを介したデータ通信を行う。具体的には、通信部１５は、通信用ＩＣ（Integrated Circuit）と通信コネクタなどを有する通信インターフェイスである。
【００３１】
ここで、サーバ装置１は、端末２から送信される各端末２の位置情報を受信する受信手段（制御部１１、記憶部１４、通信部１５）と、予め登録された商品のカテゴリに基づきカテゴリの一致を検出する検出手段（制御部１１、記憶部１４）と、カテゴリの一致を検出した場合に一方の端末２に他方の端末２の位置情報を送信して表示させる送信手段（制御部１１、記憶部１４、通信部１５）を備える。
【００３２】
［１−３．端末の構成の説明］
次に、端末２の詳細について説明する。
端末２は、制御部２１、操作部２２、表示部２３、記憶部２４、通信部２５、位置検出部２６を有する。
【００３３】
制御部２１は、端末２の動作を中央制御する。具体的には、制御部２１は、ＣＰＵ、ＲＯＭ、ＲＡＭなどを有しており、ＲＡＭの作業領域に展開されたＲＯＭや記憶部２４に記憶されたプログラムデータ（例えば前記アプリ）とＣＰＵとの協働により各部を統括制御する。
【００３４】
操作部２２は、ユーザからの操作入力を受け付け、当該操作入力に応じた操作信号を制御部２１へ出力する。例えば、操作部２２は、文字入力キー、数字入力キー、カーソルキー、その他各種機能に対応付けられたキーなどを有するキー入力部であってよい。また、スマートフォンのように操作部２２は、表示部２３と一体的に形成されたタッチパネルなどであってもよい。
【００３５】
表示部２３は、制御部２１から出力された表示制御信号に基づいた画像を表示画面に表示する。例えば、表示部２３は、ＬＣＤ、有機ＥＬ（Electro Luminescence）素子を用いたＦＰＤ（Flat Panel Display）などであってよい。また、スマートフォン等のように表示部２３は、操作部２２と一体的に形成されたタッチパネルなどであってもよい。
【００３６】
記憶部２４は、プログラムデータや各種設定データ等のデータを制御部２１から読み書き可能に記憶する。例えば、記憶部２４は、ＨＤＤ、半導体メモリなどであってよい。
【００３７】
通信部２５は、アンテナや通信回路を有し、制御部２１による制御の下で外部機器との間の無線通信を行う。具体的には、通信部２５は、通信ネットワークＮを介してデータ通信を行う。
【００３８】
位置検出部２６は、制御部２１による制御の下でＧＰＳ等を用いて端末２の現在位置を順次取得し位置情報として記憶部２４に記憶させる。
【００３９】
［２．動作の説明］
本発明の第１実施形態における情報処理システム１００の具体的な動作の説明を図２〜図４を用いて詳細に行う。以下、説明の便宜上、各端末やサーバ装置の制御部が主体となる処理は、「サーバ装置１」、「端末２」をその処理の主体として説明する。
［２−１．サーバ装置１の動作の説明］
また、ここで、サーバ装置１の動作について図２のフローチャートを用いて説明する。
【００４０】
サーバ装置１は、需要者が所持している需要者端末２ａの位置情報と移動販売車に備えられた販売車端末２ｂの位置情報とを比較して、販売車端末２ｂが需要者端末２ａの表示範囲内に入ったか否かを判断し（ステップＳ１）、もし、販売車端末２ｂが需要者端末２ａの表示範囲内に入っていないと判断した場合（ステップＳ１：Ｎｏ）、ステップＳ１に戻る。
一方、サーバ装置１が、販売車端末２ｂが需要者端末２ａの表示範囲内に入ったと判断した場合（ステップＳ１：Ｙｅｓ）、サーバ装置１は、記憶部１４に予め登録されている需要者の商品のカテゴリと、移動販売車の商品のカテゴリを参照する（ステップＳ２）。
【００４１】
そして、サーバ装置１は、２つの商品のカテゴリが一致したか否かを判断する（ステップＳ３）。
【００４２】
ここで、ステップＳ３における商品のカテゴリの一致について図３を用いて具体的に説明する。例えば、図３は、移動販売車で販売する商品として食品を考えた場合の、商品のカテゴリを階層構造で示したものである。
【００４３】
サーバ装置１は、移動販売業者が登録したカテゴリが、需要者が登録した商品のカテゴリ、或いは、当該カテゴリの上位又は下位のカテゴリである場合は「カテゴリの一致」として検出する。
例えば、移動販売業者が移動車端末２ｂを用いて登録した商品のカテゴリが「肉類」であり、需要者が需要者端末２ａを用いて登録した商品のカテゴリが「牛肉」である場合、移動販売業者が登録したカテゴリは、需要者が登録した商品のカテゴリの上位のカテゴリであるので、「カテゴリの一致」として検出する。
【００４４】
すなわち、カテゴリの完全一致をもって「カテゴリの一致」として検出した場合、例えば、移動販売業者はより上位の商品のカテゴリ（「肉類」）で登録し、需要者はより具体的な商品のカテゴリ（「牛肉」）で登録した場合、移動販売業者が「肉類」として「牛肉」と「豚肉」を販売している場合であっても「カテゴリの一致」として検出されることはなく、実際に需要者と移動販売業者とのマッチングがとれない。
【００４５】
このため、需要者が登録した商品のカテゴリに加えて、当該カテゴリの上位又は下位のカテゴリとの一致を判断することにより、需要者と移動販売業者との好適なマッチングを行うことができる。
【００４６】
このような手法で、サーバ装置１が、２つの商品のカテゴリが一致していないと判断した場合（ステップＳ３：Ｎｏ）、テップＳ１に戻り、サーバ装置１が、２つの商品のカテゴリが一致したと判断した場合には（ステップＳ３：Ｙｅｓ）、サーバ装置１は、需要者端末２ａに移動販売車の位置情報を送信して表示させる（ステップＳ４）。
【００４７】
ここで、図４は、需要者端末２ａの表示画面の一例を示す説明図であり、具体的には、需要者端末２ａにインストールされたナビゲーション用アプリケーションの表示画面であって、表示画面ＤＳ４１上に表示された地図画面に、ナビゲーションのルートＲＴ４１が表示されると共に需要者の現在位置がアイコンＩＣ４１で表示される。
【００４８】
そして、サーバ装置１から送信されてきた、需要者が登録した商品のカテゴリに対応する商品を販売している移動販売車の位置情報がアイコンＩＣ４２、ＩＣ４３、ＩＣ４４及びＩＣ４５として表示される。
【００４９】
需要者は、需要者端末２ａの表示画面から需要者が登録した商品のカテゴリに対応する商品を販売している移動販売車の位置を特定することができ、従来のように、能動的に移動販売車の位置情報を検索し閲覧する必要がなく、需要者端末２ａに受動的に表示される移動販売車の位置情報に基づき購買行動をとることができる。
【００５０】
ちなみに、上述の説明では、サーバ装置１は、商品のカテゴリの一致が検出された移動販売車端末２ｂの位置情報を需要者端末２ａに送信して表示させているが、勿論、サーバ装置１が、商品のカテゴリの一致が検出された需要者端末２ａの位置情報を販売車端末２ｂに送信して表示させてもよい。
【００５１】
この場合、移動販売業者は、販売車端末２ｂの表示画面から移動販売業者が登録した商品のカテゴリに対応する商品に関心がある、或いは、購入を希望する需要者の位置を特定することができ、販売車端末２ｂに受動的に表示される需要者の位置情報に基づき移動販売車を巡回させることにより、商品の売り上げ向上が期待できる。
【００５２】
以上のように、サーバ装置１では、端末２からそれぞれ送信される位置情報を受信し、需要者が登録した商品のカテゴリと移動販売業者が登録した商品のカテゴリとの一致を検出した場合に、移動販売車と需要者の位置情報を他方の端末の表示画面上に表示させることにより、需要者端末２ａの表示画面に、需要者の関心がある移動販売車の位置情報を表示させることができる。
また、販売車端末２ｂの表示画面に、移動販売業者が登録した商品のカテゴリに対応する商品に関心がある、或いは、購入を希望する需要者の位置情報を表示させることができる。
【００５３】
（変形例１）
［３−１．カテゴリに応じた距離］
実施形態の説明に際しては、販売車端末２ｂが需要者端末２ａの表示範囲内に入ったか否かに基づきカテゴリが一致するか否かを検出していたが、個々のカテゴリに応じて異なる距離を設定して、移動販売車が当該距離以内に入った場合にカテゴリが一致するか否かを検出してもよい。
【００５４】
すなわち、商品のカテゴリによっては、移動販売車ができるだけ近距離であることが望まれる商品、逆に、移動販売車との距離がある程度あっても問題ない商品があり、これらの商品に応じて好適な距離以内の移動販売車のカテゴリが一致するか否かを検出することにより、需要者と移動販売業者との適切なマッチングを図ることができる。
【００５５】
但し、移動販売車との距離がある程度あっても問題ない商品を販売する移動販売車の位置情報を、需要者端末２ａに送信して表示させた場合、通常、需要者端末２ａの表示画面は広範囲ではなく、狭い範囲の地図画面を表示させている場合が想定され、表示すべき移動販売車の位置情報が、当該地図画面の範囲外になってしまい、需要者端末２ａの表示画面上に表示できない可能性が高い。
このため、図５に示すように、需要者端末２ａの表示画面ＤＳ４１上に表示された地図画面に、外向きの矢印アイコンＩＣ５１を表示、或いは、表示と共に点滅させ、表示画面ＤＳ４１の外であって当該矢印の方向の位置に、商品のカテゴリに一致する移動販売車がいる旨、需要者に認識させてもよい。
【００５６】
或いは、需要者端末２ａの表示画面ＤＳ４１の縮尺を一時的に変更して、広範囲の地図画面にすると共に、商品のカテゴリに一致する移動販売車のアイコンを表示させて、商品のカテゴリに一致する移動販売車がいる旨、需要者に認識させてもよい。
【００５７】
（変形例２）
［３−２．カテゴリの一致の検出］
実施形態の説明に際しては、サーバ装置１が、移動販売業者が登録したカテゴリが、需要者が登録した商品のカテゴリ、当該カテゴリの上位又は下位のカテゴリである場合は「カテゴリの一致」として検出する旨説明しているが、サーバ装置１は、移動販売業者が登録したカテゴリが、需要者が登録した商品のカテゴリ、当該カテゴリの上位のカテゴリ又は当該カテゴリの上位のカテゴリに属する需要者が登録した商品のカテゴリ以外の下位のカテゴリに一致する場合に「カテゴリの一致」として検出してもよい。
【００５８】
例えば、図３において、移動販売業者が販売車端末２ｂを用いて登録した商品のカテゴリが「豚肉」であり、需要者が需要者端末２ａを用いて登録した商品のカテゴリが「牛肉」である場合、サーバ装置１は、移動販売業者が登録したカテゴリが、需要者が登録した商品のカテゴリ（「牛肉」）、当該カテゴリ（「牛肉」）の上位のカテゴリ（「肉類」）又は当該カテゴリ（「牛肉」）の上位のカテゴリ（「肉類」）に属する需要者が登録した商品のカテゴリ（「牛肉」）以外の下位のカテゴリ（「豚肉」）であるので、「カテゴリの一致」として検出する。
【００５９】
すなわち、移動販売業者は商品のカテゴリ（「豚肉」）で登録し、需要者は商品のカテゴリ（「牛肉」）で登録した場合であっても、需要者は「肉類」を購入しようとしているので、移動販売業者が販売する「豚肉」を購入する可能性を否定できず、需要者の選択肢のひとつとして、位置情報を送信して表示させることにより、需要者と移動販売業者とのマッチングを図ることもできる。
【００６０】
（変形例３）
［３−３．需要者が集中する領域の検出］
実施形態の説明に際しては、サーバ装置１では、端末２からそれぞれ送信される位置情報を受信し、需要者が登録した商品のカテゴリと移動販売業者が登録した商品のカテゴリとの一致を検出した場合に、移動販売車と需要者の位置情報を他方の端末２の表示画面上に表示させていたが、需要者が集中する領域を検出して販売車端末２ｂの表示画面上に当該領域の情報を表示させてもよい。
【００６１】
例えば、サーバ装置１は、販売車端末２ｂから登録されたカテゴリと一致するカテゴリを登録した需要者端末２ａの現在位置が所定数以上集中している領域を検出し、検出された領域の情報を販売車端末２ｂに送信して表示させる。
具体的には、販売車端末２ｂの表示画面上に、曲線や直線によって当該領域を囲むように表示したり、「何丁目何番地」等のように文字情報で表示したりする。
【００６２】
すなわち、移動販売業者は、販売車端末２ｂの表示画面から移動販売業者が登録した商品のカテゴリに対応する商品に関心がある、或いは、購入を希望する需要者が多数存在する領域を特定することができ、販売車端末２ｂに受動的に表示される領域に基づき移動販売車を巡回させることにより、商品の売り上げ向上が期待できる。
【００６３】
（変形例４）
［３−４．優先度による位置情報の表示の制限］
実施形態の説明に際しては、商品のカテゴリの一致が検出された全ての移動販売車の位置情報を送信して需要者端末２ａに表示させているが、商品のカテゴリの一致が検出された移動販売車の数が多い場合には、需要者端末２ａには表示しきれない、或いは、表示画面に非常に多くの位置情報が表示されてしまい移動販売車の位置を把握できない場合もある。
このため、サーバ装置１は、所定の優先度に基づき、需要者端末２ａで表示可能な表示数以下になるように、需要者端末２ａに送信する移動販売車の位置情報を制限してもよい。
【００６４】
ここで、需要者端末２ａに送信する移動販売車の位置情報の数を制限するための優先度について具体的に説明する。
【００６５】
例えば、需要者が登録した商品のカテゴリと完全一致する移動販売車（カテゴリの一致度が高い）と、当該カテゴリの上位又は下位のカテゴリで一致する移動販売車（カテゴリの一致度が低い）が複数存在する場合には、完全一致する移動販売車の方が需要者の希望に答える可能性が高いので、サーバ装置１は、完全一致する移動販売車の優先度を高くして優先的に位置情報を送信して表示させる。
【００６６】
また、例えば、需要者が登録した商品のカテゴリと完全一致する移動販売車が存在したとしても、需要者の現在位置から移動販売車までの距離がかなり遠い場合には、当該移動販売車の位置情報を送信して表示させても現実的ではない場合もある。
このため、サーバ装置１は、需要者の現在位置から距離が近い移動販売車の優先度を高くして優先的に位置情報を送信して表示させる。
【００６７】
すなわち、サーバ装置１が、所定の優先度に基づき、需要者端末２ａで表示可能な表示数以下になるように、需要者端末２ａに送信する移動販売車の位置情報を制限することにより、需要者端末２ａの表示画面において、適切な数の移動販売車の位置情報が表示されるので、商品のカテゴリの一致が検出された移動販売車の位置を把握し易くなる。
【００６８】
また、同様に、サーバ装置１は、前述の優先度に基づき、移動販売業者が登録した商品のカテゴリに対応する商品に関心がある、或いは、購入を希望する需要者が多数存在する領域の情報の送信を制限してもよい。
【００６９】
（変形例５）
［３−５．移動販売業者の入札による優先度］
変形例４の説明に際しては、需要者端末２ａで表示可能な表示数以下になるように、需要者端末２ａに送信する移動販売車の位置情報を制限するために、一致度等に基づく優先度を設定していたが、販売車端末２ｂから入札（入力）された位置情報に対する単価のうち、単価の高いものから優先度を順次付加してもよい。
【００７０】
すなわち、自らの位置情報を競合相手よりも優先的に需要者端末２ａに表示させたい移動販売業者は、より高額な単価を入札（入力）することにより、より積極的な移動販売業者が販売機会を取得できると共に、サーバ装置１を運営する業者にとっては、システム運営コストや利益の確保がより確実になる。
【００７１】
（変形例６）
［３−６．移動販売業者の入札による優先度］
変形例５では、単純に、移動販売業者の入札（入力）する単価に基づき優先度を設定していたが、高い単価を入札（入力）して、需要者端末２ａに自らの位置情報を表示させてとしても、必ずしも、商品の販売に結びつくものではない。すなわち、販売の機会を得るためには、移動販売業者が登録した商品のカテゴリに対応する商品に関心がある、或いは、購入を希望する需要者との接触が必要である。
【００７２】
このため、需要者との接触が生じた時点で支払う単価（例えば、需要者端末２ａに自らの位置情報を表示させたが、当該需要者との接触が皆無であった場合には、当該単価の支払い義務がない）を、販売車端末２ｂから入札（入力）させ、単価の高いものから優先度を順次付加してもよい。
【００７３】
このような、需要者との接触を判定する方法としては、サーバ装置１（判定手段）が、所定範囲内で所定時間以上、販売車端末２ｂの位置情報と、需要者端末２ａの位置情報とが一致した場合に、需要者との接触があったと判定することにより、サーバ装置１を運営する業者は、自動的に、「需要者との接触」の有無を把握することができる。
【００７４】
この場合、移動販売業者は、需要者端末２ａに自らの位置情報を表示させたが、当該需要者との接触が皆無であった場合には、当該単価の支払い義務がないので、より積極的に入札（入力）に参加できると共に、サーバ装置１を運営する業者にとっては、システム運営コストや利益の確保がより確実になる。
【００７５】
なお、実施形態の説明に際しては、移動販売業者が販売する商品のカテゴリをサーバ装置１に登録していたが、勿論、移動販売業者が販売する商品のみならず、移動販売業者が提供する役務（サービス）であってもよい。
すなわち、食品、衣類、消耗用品等の物品のみならず、移動車両を用いた入浴サービス、理髪サービス、電気工事サービス、修理サービス等の役務のカテゴリを登録し、需要者
とのマッチングを図ってもよい。
【００７６】
また、実施形態の説明に際しては、一方の端末２の位置情報を、他方の端末２の表示画面上にアイコン等により単純に表示させていたが、サーバ装置１は、需要者が当該アイコンに対してクリック若しくはタップ等の操作をした場合、記憶部１４に記憶されている商品の一覧表、価格表、商品の画像等をポップアップ表示や別画面表示等により表示させてもよい。
【００７７】
この場合、需要者は、需要者端末２ａの表示画面から需要者が登録した商品のカテゴリに対応する商品を販売している移動販売車の位置を特定できるのみならず、商品の一覧表、価格表、商品の画像等の情報も得ることができるので、このような各種情報を参照することにより、より効率的に購買行動をとることができる。
【００７８】
また、大規模災害発生時等の非常時においては、数多くの援助物資が搬入されるものの、保管品目及び保管場所と、被災者（需要者）が必要とする品目や避難所の位置とのマッチングに課題がある。このような状況において、本発明の実施形態である情報処理システムを活用することにより、当該課題の解決が可能である。この場合、本願において「販売」は無償の「提供」と読み替えまたはそれを含むものとする。
【００７９】
すなわち、援助物資の保管場所または提供用移動体（自動車、ヘリコプターなど）にある位置検出機能を有するスマートフォン等の端末２から被災地以外に設置されたサーバ装置１に保管品目（カテゴリ）を登録し、一方、避難場所にあるまたは救援物資需要者の携帯する端末２から必要とする品目（カテゴリ）をサーバ装置１に登録することにより、カテゴリの一致を検出した場合に、保管場所または提供用移動体や避難所の位置情報を他方の端末の表示画面上に表示させることができるので、援助物資と被災者（需要者）が必要とする品目とのマッチングを効率よく図ることができる。
【符号の説明】
【００８０】
１００  システム
１  サーバ装置（情報処理装置）
１１  制御部
１２  操作部
１３  表示部
１４  記憶部
１５  通信部
２  端末（需要者端末２ａ、販売車端末２ｂ）
２１  制御部
２２  操作部
２３  表示部
２４  記憶部
２５  通信部
２６  位置検出部
Ｎ  通信ネットワーク
【図１】
2016062415.tif 000003
【図２】
2016062415.tif 000004
【図３】
2016062415.tif 000005
【図４】
2016062415.tif 000006
【図５】
2016062415.tif 000007